(57)【要約】【課題】本発明は、蓄電素子が収容された箱部の側壁の内面および外面が汚染されることを抑制することができる技術を提供する。【解決手段】蓄電装置１２は、蓄電素子１０と、蓄電素子１０が収容される内装部１６と、側壁１４を有する収納箱１１と、を備え、蓄電素子１０を収容した内装部１６は収納箱１１に収納され、内装部１６は、少なくとも収納箱１１の側壁１４の外面を覆う外装部３５が着脱可能に取り付けられる係止部３７を備えている。外装部３５は、係止部３７と係止する被係止部３８を備えている。【選択図】図１
2017033768.tif 000002
【特許請求の範囲】
【請求項１】
蓄電素子と、
前記蓄電素子が収容される内装部と、
側壁を有する箱部であって、前記蓄電素子が収容された前記内装部が収容される前記箱部と、を備え、
前記内装部及び前記箱部の少なくとも一方は、少なくとも前記箱部の前記側壁の外面を覆う外装部が着脱可能に取り付けられる係止部を備えている蓄電装置。
【請求項２】
請求項１に記載の蓄電装置であって、
前記内装部は前記係止部を備えており、
前記内装部に前記外装部が取り付けられた状態で、前記外装部は、前記内装部と前記箱部との間を跨ぐように配されている蓄電装置。
【請求項３】
請求項１または請求項２に記載の蓄電装置であって、
前記係止部に前記外装部が取り付けられた状態で、前記外装部は、前記箱部の前記側壁の外面から前記箱部の底壁の外面までを覆っている蓄電装置。
【請求項４】
蓄電素子と、
前記蓄電素子が収容される内装部と、
側壁を有する箱部であって、前記蓄電素子が収容された前記内装部が収容される前記箱部と、
前記箱部の前記側壁の外面を覆う外装部と、
を備えた蓄電装置。
【請求項５】
請求項４に記載の蓄電装置であって、
前記外装部は、前記箱部の前記側壁の外面から前記箱部の底壁の外面までを覆っている蓄電装置。
【請求項６】
請求項１から請求項５のいずれか一項に記載の蓄電装置であって、
前記蓄電素子は酸性の電解液を有し、
前記箱部は金属製である蓄電装置。
【請求項７】
請求項１から請求項６のいずれか一項に記載の蓄電装置であって、
前記蓄電素子は電極端子を有し、前記電極端子にはコネクタを端部に備える電線が接続されており、
前記電線及び前記コネクタの少なくとも一方は保護部によって覆われている蓄電装置。
【請求項８】
蓄電素子と、
前記蓄電素子が収容される内装部と、
側壁を有する箱部であって、前記蓄電素子が収容された前記内装部が収容される前記箱部と、を備える蓄電素子の洗浄方法であって、
少なくとも前記箱部の前記側壁の外面を外装部にて覆った状態で、前記蓄電素子を洗浄液で洗浄する蓄電装置の洗浄方法。
【発明の詳細な説明】
【技術分野】
【０００１】
本明細書に記載された技術は、蓄電素子が箱部内に収容された蓄電装置、及び蓄電装置の洗浄方法に関する。
【背景技術】
【０００２】
従来、組電池として特許文献１のものが知られている。この組電池は、複数のバッテリーセルがバッテリーケースに収容されてなる。
【先行技術文献】
【特許文献】
【０００３】
【特許文献１】特開平７−１４２０４６号公報
【発明の概要】
【発明が解決しようとする課題】
【０００４】
組電池は、使用中にバッテリーセルの上面に付着した電解液や埃を洗い流すために、水等の洗浄液で洗浄することがある。このとき、電解液や埃が混ざった洗浄液が、バッテリーケースの側壁の、内面、又は外面に付着することが考えられる。すると、バッテリーケースの側壁の内面、又は外面が、電解液又は埃により汚染されることが懸念される。
【０００５】
本発明は上記のような事情に基づいて完成されたものであって、蓄電素子が収容された箱部の側壁の内面及び外面が汚染されることを抑制することができる技術を提供することを目的とする。
【課題を解決するための手段】
【０００６】
本明細書に記載された技術の一態様に係る蓄電装置は、蓄電素子と、前記蓄電素子が収容される内装部と、側壁を有する箱部であって、前記蓄電素子が収容された前記内装部が収容される前記箱部と、を備え、前記内装部及び前記箱部の少なくとも一方は、少なくとも前記箱部の前記側壁の外面を覆う外装部が着脱可能に取り付けられる係止部を備えている。
【０００７】
本構成によれば、蓄電素子は内装部に収容されているので、例えば、蓄電素子を洗浄する場合等、箱部の内面が洗浄液によって汚染される可能性がある場合であっても、箱部の内面が汚染されることが抑制される。
【０００８】
また、本構成によれば、外装部を係止部に取り付けることにより、箱部の側壁の外面は外装部によって覆われる。この結果、例えば、蓄電素子を洗浄する場合等、箱部の外面が洗浄液によって汚染される可能性がある場合であっても、箱部の側壁の外面が汚染されることが抑制される。
【発明の効果】
【０００９】
本明細書に記載された技術によれば、蓄電装置において、蓄電素子が収容された箱部の側壁の内面及び外面が汚染されることを抑制することができる。
【図面の簡単な説明】
【００１０】
【図１】実施形態１に係る蓄電装置を示す断面図
【図２】実施形態１に係る蓄電装置を示す平面図
【図３】電線およびコネクタ保護部を示す断面図
【図４】内装部と外装部が取り付けられる際の蓄電装置の状態を示す断面図
【図５】外装部を示す斜視図
【図６】外装部が取り外された後の蓄電装置の状態を示す断面図
【図７】外装部が取り外された後の蓄電装置の状態を示す平面図
【図８】実施形態２に係る蓄電装置を示す断面図
【図９】実施形態２に係る蓄電装置を示す平面図
【図１０】キャップ部材と、外装部とが取り外された後の蓄電装置の状態を示す断面図
【図１１】実施形態３に係る蓄電装置を示す断面図
【図１２】実施形態３に係る内装部から外装部を切り離した後の蓄電装置の状態を示す断面図
【図１３】他の実施形態（４）に係る蓄電装置を示す一部拡大断面図
【発明を実施するための形態】
【００１１】
（実施形態の概要）
本明細書に記載された技術の一実施形態に係る蓄電装置は、蓄電素子と、前記蓄電素子が収容される内装部と、側壁を有する箱部であって、前記蓄電素子が収容された前記内装部が収容される前記箱部と、を備え、前記内装部及び前記箱部の少なくとも一方は、少なくとも前記箱部の前記側壁の外面を覆う外装部が着脱可能に取り付けられる係止部を備えている。
【００１２】
本構成によれば、蓄電素子は内装部に収容されているので、例えば、蓄電素子を洗浄する場合等、箱部の内面が洗浄液によって汚染される可能性がある場合であっても、箱部の内面が汚染されることが抑制される。
【００１３】
本構成によれば、外装部を係止部に取り付けることにより、箱部の側壁の外面は外装部によって覆われる。この結果、例えば、蓄電素子を洗浄する場合等、箱部の外面が洗浄液によって汚染されるような場合であっても、箱部の側壁の外面が汚染されることが抑制される。
【００１４】
本明細書に記載された技術における一つの実施形態としては、上記の蓄電装置において、前記内装部は前記係止部を備えており、前記内装部に前記外装部が取り付けられた状態で、前記外装部は、前記内装部と前記箱部との間を跨ぐように配されている構成が採用される。
【００１５】
本構成によれば、内装部と箱部との間に洗浄液が浸入することを抑制することができる。
【００１６】
本明細書に記載された技術における一つの実施形態としては、上記の蓄電装置において、前記係止部に前記外装部が取り付けられた状態で、前記外装部は、前記箱部の前記側壁の外面から前記箱部の底壁の外面までを覆っている構成が採用される。
【００１７】
本構成によれば、箱部の底壁が洗浄液によって汚染されることが抑制される。
【００１８】
本明細書に記載された技術の一実施形態に係る蓄電装置は、蓄電素子と、前記蓄電素子が収容される内装部と、側壁を有する箱部であって、前記蓄電素子が収容された前記内装部が収容される前記箱部と、前記箱部の前記側壁の外面を覆う外装部と、を備える。
【００１９】
本構成によれば、蓄電素子は内装部に収容されているので、例えば、蓄電素子を洗浄する場合等、箱部の内面が洗浄液によって汚染される可能性がある場合であっても、箱部の内面が汚染されることが抑制される。
【００２０】
また、本構成によれば、箱部の側壁の外面は外装部によって覆われている。この結果、例えば、蓄電素子を洗浄する場合等、箱部の外面が洗浄液によって汚染されるような場合であっても、箱部の側壁の外面が汚染されることが抑制される。
【００２１】
本明細書に記載された技術における一つの実施形態としては、上記の蓄電装置において、前記外装部は、前記箱部の前記側壁の外面から前記箱部の底壁の外面までを覆っている構成が採用される。
【００２２】
本構成によれば、箱部の底壁が洗浄液によって汚染されることが抑制される。
【００２３】
本明細書に記載された技術における一つの実施形態としては、上記の蓄電装置において、前記蓄電素子は酸性の電解液を有し、前記箱部は金属製である構成が採用される。
【００２４】
本構成によれば、例えば、蓄電素子を洗浄する場合において、酸性の電解液を含む洗浄液が、金属製である箱部の側壁の外面に付着して側壁が腐食することを抑制することができる。
【００２５】
本明細書に記載された技術における一つの実施形態としては、上記の蓄電装置において、前記蓄電素子は電極端子を有し、前記電極端子にはコネクタを端部に備える電線が接続されており、前記電線及び前記コネクタの少なくとも一方は保護部によって覆われている構成が採用される。
【００２６】
本構成によれば、電線及びコネクタの少なくとも一方が保護部によって保護される。これにより、例えば、蓄電素子を洗浄する場合において、電線及びコネクタの少なくとも一方に洗浄液が付着することを抑制することができる。
【００２７】
本明細書に記載された技術における一つの実施形態は、蓄電素子と、前記蓄電素子が収容される内装部と、側壁を有する箱部であって、前記蓄電素子が収容された前記内装部が収容される前記箱部と、を備える蓄電素子の洗浄方法であって、少なくとも前記箱部の前記側壁の外面を外装部にて覆った状態で、前記蓄電素子を洗浄液で洗浄する。
【００２８】
本構成によれば、蓄電素子は内装部に収容されているので、箱部の内面が汚染されることが抑制される。
【００２９】
本構成によれば、蓄電素子を洗浄液で洗浄する工程においては、箱部の側壁の外面は外装部によって覆われているので、箱部の側壁の外面に洗浄液が付着することが抑制される。
【００３０】
＜実施形態１＞
本発明の実施形態１を、図１から図７を参照しつつ説明する。本実施形態は、複数（本実施形態では１２個）の蓄電素子１０が収納箱１１（箱部の一例）内に収納された蓄電装置１２である。蓄電装置１２は、例えば、電気自動車、フォークリフト等の車両(図示せず)に搭載されて、電源として使用される。以下の説明では、Ｘ方向を右方とし、Ｙ方向を前方とし、Ｚ方向を上方として説明する。なお、複数の同一部材については、一部の部材にのみ符号を付し、他の部材の符号を省略することがある。
【００３１】
（収納箱１１）
図１に示すように、収納箱１１は、上方に開口された箱状をなしている。収納箱１１の開口は上方から見て長方形状をなしている。収納箱１１は、上方から見て長方形状をなす底壁１３と、底壁１３の側縁から上方に立ち上がる側壁１４と、を備える。
【００３２】
収納箱１１は金属製である。収納箱１１を構成する金属としては、鉄、鉄合金、アルミニウム、アルミニウム合金等、必要に応じて任意の金属を適宜に選択できる。本実施形態においては、鉄、又は鉄合金が用いられる。収納箱１１の表面には、被膜が形成されていてもよい。被膜としては、メッキ層が形成されていてもよいし、また、塗膜等の合成樹脂層が形成されていてもよいし、また、収納箱１１を形成する金属の酸化被膜が形成されていてもよく、必要に応じて任意の材質からなる被膜を形成することができる。
【００３３】
底壁１３は、左右方向の中央付近であって、且つ、前後方向の中央付近の位置に、底壁１３を上下方向に貫通する箱側排水口１５を有する。なお、底壁１３は、複数の箱側排水口１５を有する構成としてもよい。また、箱側排水口１５は、必要に応じて、底壁１３の任意の位置に形成することができる。
【００３４】
（内装部１６）
収納箱１１の内側には、合成樹脂製の内装部１６が収容されている。内装部１６は、シート状をなしていてもよく、また、収納箱１１よりもやや小さな箱状をなしていてもよい。内装部１６の外面と、収納箱１１の内面とは、接触していてもよく、また、離間していてもよい。
【００３５】
本実施形態においては、内装部１６は、耐酸性に優れた合成樹脂製のシートからなる。内装部１６は、収納箱１１の内側に収容された状態で、上方に開口している。内装部１６の上端縁は、収納箱１１の側壁１４の上端縁よりもやや下方に位置している。
【００３６】
内装部１６は、収納箱１１の、側壁１４の内面、及び底壁１３の内面を覆っている。内装部１６は、収納箱１１の底壁１３に形成された箱側排水口１５に対応する位置に、内装部１６を上下方向に貫通する内装部側排水口１７を有する。これにより、収納箱１１の外側と、内装部１６の内側とが連通するようになっている。内装部側排水口１７は、筒状をなして下方に延出する筒状部１８の内側に形成されている。筒状部１８は、箱側排水口１５の内部に挿通されている。これにより、箱側排水口１５の内面は、筒状部１８の外面によって保護されるようになっている。
【００３７】
（スペーサ１９）
図１及び図２に示すように、内装部１６の内側には、合成樹脂製のスペーサ１９が収容されている。合成樹脂としては、耐酸性に優れた材料を用いることができる。スペーサ１９は、上下の双方に開口する角筒状をなしている。スペーサ１９の外側面と、内装部１６の内側面とは、接触していてもよく、また、離間していてもよい。スペーサ１９の内側には、蓄電素子１０が収容されるための収容空間２０が形成されている。収容空間２０は、上方から見て略長方形状をなしている。スペーサ１９により、蓄電素子１０と、内装部１６とが直接に接触しないようになっている。スペーサ１９の上端縁は、内装部１６の上端縁よりも下方に位置している。一方、実施例では、スペーサ１９の下端縁は、内装部１６の底部に上方から当接している。なお、スペーサ１９の下端縁は、内装部１６の底部に上方から当接していなくてもよい。
【００３８】
（蓄電素子１０）
スペーサ１９の内側に形成された収容空間２０内には、複数の蓄電素子１０が前後方向、及び左右方向に整列して配されている。本実施形態においては、前後方向に３列及び左右方向に４列の蓄電素子１０が配されている。
【００３９】
蓄電素子１０は、略直方体形状をなしている。蓄電素子１０の内部には、図示しない蓄電要素が収容されている。蓄電素子１０の上面には、左右方向の両端部寄りの位置に、正極及び負極からなる一対の電極端子２２が設けられている。蓄電素子１０の上面には、左右方向の中央付近の位置に、蓄電素子１０内に電解液を注液するための注液口(図示せず)が設けられており、本実施形態では、この注液口に、液口栓２３が配設されている。本実施形態の蓄電素子１０としては、液式のクラッド式鉛蓄電池が用いられている。
【００４０】
隣り合う蓄電素子１０の電極端子２２同士は、接続部材２４によって直列に接続されている。接続部材２４は、金属製の導電部材(図示せず)と、導電部材の表面に配された絶縁性の合成樹脂からなるカバー２５と、を備える。隣り合う蓄電素子１０の電極端子２２同士は、導電部材によって電気的に接続されている。
【００４１】
図２において、電極端子２２のうち、左前側に位置する第１電極端子２２Ａと、右後側に位置する第２電極端子２２Ｂは、いずれか一方が蓄電装置１２の正極端子となっており、他方が蓄電装置１２の負極端子となっている。
【００４２】
（外部接続構造）
図３において、第１電極端子２２Ａには第１端子２６Ａが接続されている。第１端子２６Ａは鋳造により形成されている。なお、第１端子２６Ａは、例えば、金属板材を所定の形状にプレス加工する等、任意の手法により形成することができる。本実施形態においては、第１端子２６Ａは、板状をなす接続部２７Ａに第１電極端子２２Ａが挿通される挿通孔２８Ａが形成される構成を例示したが、これに限られず、第１端子２６Ａの形状としては任意の形状を適宜に選択できる。第１電極端子２２Ａに第１端子２６Ａが接続された状態において、第１電極端子２２Ａ及び第１端子２６Ａには、絶縁性の合成樹脂からなる保護キャップ２９Ａが被せられている。これにより、第１電極端子２２Ａ及び第１端子２６Ａに導電性を有する物が接触することによる短絡が抑制されるようになっている。
【００４３】
第１端子２６Ａには第１電線３０Ａが接続されている。第１端子２６Ａと第１電線３０Ａとは、圧着、及びはんだ付けにより接続されている。なお、第１端子２６Ａと第１電線３０Ａとは、例えば、圧着のみ、半田付けのみで接続されていてもよく、また、溶接等、必要に応じて任意の手法により接続することができる。第１電線３０Ａには、第１端子２６Ａが接続された端部とは異なる端部に、蓄電素子側コネクタ３１（コネクタの一例）が接続されている。
【００４４】
第２電極端子２２Ｂには第２端子２６Ｂが接続されている。第２端子２６Ｂは鋳造により形成されている。なお、第２端子２６Ｂは、例えば、金属板材を所定の形状にプレス加工する等、任意の手法により形成することができる。本実施形態においては、第２端子２６Ｂは、板状をなす接続部２７Ｂに第２電極端子２２Ｂが挿通される挿通孔２８Ｂが形成される構成を例示したが、これに限られず、第２端子２６Ｂの形状としては任意の形状を適宜に選択できる。第２電極端子２２Ｂに第２端子２６Ｂが接続された状態において、第２電極端子２２Ｂ及び第２端子２６Ｂには、絶縁性の合成樹脂からなる保護キャップ２９Ｂが被せられている。これにより、第２電極端子２２Ｂ及び第２端子２６Ｂに導電性を有する物が接触することによる短絡が抑制されるようになっている。
【００４５】
第２端子２６Ｂには第２電線３０Ｂが接続されている。第２端子２６Ｂと第２電線３０Ｂとは、圧着、及びはんだ付けにより接続されている。なお、第２端子２６Ｂと第２電線３０Ｂとは、例えば、圧着のみ、半田付けのみで接続されていてもよく、また、溶接等、必要に応じて任意の手法により接続することができる。第２電線３０Ｂには、第２端子２６Ｂが接続された端部とは異なる端部に、蓄電素子側コネクタ３１が接続されている。
【００４６】
蓄電素子側コネクタ３１には、充電器側コネクタ３２が嵌合されている。充電器側コネクタ３２からは、充電器側電線３３が導出されている。充電器側電線３３は、図示しない充電器に接続されている。
【００４７】
（パレット３４）
車両搭載前の収納箱１１は、板状をなすパレット３４の上に載置されている。パレット３４は、上方から見て、収納箱１１よりも前後方向、及び左右方向について大きな略長方形状をなしている。パレット３４を構成する材料は、耐酸性を有する合成樹脂製、金属製、木製等、必要に応じて任意の材料を適宜に選択することができる。
【００４８】
（外装部３５）
収納箱１１の側壁１４の外面は、シート状をなす外装部３５によって覆われている。図５に示すように、外装部３５は、上方から見て略長方形状をなすと共に、中央付近が、上方から見て略長方形状に開口する開口部３６を有する。外装部３５は、合成樹脂を延伸加工してなるシートを所定の形状に切断することによって形成してもよい。外装部３５は、防水性、耐酸性を備えたものであれば合成樹脂製の繊維を用いた不織布を用いてもよく、また、天然繊維又は合成繊維を織ることにより形成されていてもよい。
【００４９】
図４に示すように、内装部１６の上端縁には、外装部３５と係止する係止部３７が形成されている。また、外装部３５の開口部３６の口縁部には、係止部３７と係止する被係止部３８が形成されている。本実施形態においては、係止部３７と被係止部３８については、公知の防水ファスナーが適用されている。防水ファスナーとしては、簡易的な防水ファスナーを使用してもよく、また、気密性に優れた防水ファスナーを使用してもよい。
【００５０】
係止部３７と、被係止部３８は、それぞれ、防水ファスナーを構成する一対のファスナーストリンガーに相当する。詳細には図示しないが、係止部３７、及び被係止部３８は、それぞれ、ファスナーテープの対向するエレメント取付縁部に沿って複数のファスナーエレメントが列をなして設けられている。
【００５１】
内装部１６の上端縁の４辺には、全周に亘って係止部３７が設けられている。一方、外装部３５の開口部３６の口縁部の４辺にも、全周に亘って被係止部３８が設けられている。これにより、係止部３７と被係止部３８とを係止することにより、内装部１６の上端縁の４辺と、外装部３５の開口部３６の口縁部の４辺とは、全周に亘って、防水ファスナーによって液密にシールされた状態で接続される。
【００５２】
係止部３７と被係止部３８とが係止されることによって内装部１６に外装部３５が取り付けられた状態になる。この状態で、外装部３５は、内装部１６と、収納箱１１との間を跨ぐように配されている。換言すると、内装部１６の上端縁と、収納箱１１の上端縁とは、外装部３５によって上方から覆われている。
【００５３】
図１及び図２に示すように、内装部１６に外装部３５が取り付けられた状態で、外装部３５のうち収納箱１１の外側に配された部分は、収納箱１１の側壁１４の外面を覆っている。外装部３５の外縁部３９は、パレット３４の側縁部の側方の位置に配されている。これにより、収納箱１１がパレット３４に載置された状態で、収納箱１１の側方から収納箱１１の側壁１４の外縁に液体等の異物が付着することが抑制されるようになっている。外装部３５の外縁部３９は、パレット３４の側縁部に、例えば面ファスナーによって係止される構成としてもよい。
【００５４】
（保護部４０）
図３に示すように、第１電線３０Ａ、第２電線３０Ｂ、蓄電素子側コネクタ３１、及び充電器側コネクタ３２は、保護部４０によって覆われている。保護部４０は、基部４１と、基部４１から２つに枝分かれした第１電線収容部４２Ａ、及び第２電線収容部４２Ｂと、を備える。換言すると、保護部４０は、全体としてＹ字形状をなしている。
【００５５】
第１電線収容部４２Ａは筒状をなしており、内部に第１電線３０Ａが収容されている。第１電線収容部４２Ａの端部は、保護キャップ２９Ａによって第１電極端子２２Ａに固定されている。
【００５６】
また、第２電線収容部４２Ｂは筒状をなしており、内部に第２電線３０Ｂが収容されている。第２電線収容部４２Ｂの端部は、保護キャップ２９Ｂによって第２電極端子２２Ｂに固定されている。
【００５７】
基部４１は筒状をなしており、基部４１の内部には、蓄電素子側コネクタ３１と、充電器側コネクタ３２とが収容されている。
【００５８】
保護部４０は、筒状をなす第１電線収容部４２Ａと、筒状をなす第２電線収容部４２Ｂと、筒状をなす基部４１と、が一体に形成された構成としてもよい。この場合、第１電線３０Ａは、第１電線収容部４２Ａの開口端、又は基部４１の開口端から保護部４０内に挿通させることにより、保護部４０内に配することができる。また、第２電線３０Ｂは、第２電線収容部４２Ｂの開口端、又は基部４１の開口端から保護部４０内に挿通させることにより、保護部４０内に配することができる。
【００５９】
また、保護部４０は、その側縁に、ファスナー、防水ファスナー、又は面ファスナー等の公知の係止構造を有して、１つのシート状に展開可能な構成としてもよい。この場合、展開した状態の保護部４０に第１電線３０Ａ、第２電線３０Ｂ、蓄電素子側コネクタ３１、及び充電器側コネクタ３２を配し、ファスナー、防水ファスナー、又は面ファスナー等を係止することにより、第１電線３０Ａ、第２電線３０Ｂ、蓄電素子側コネクタ３１、及び充電器側コネクタ３２を保護部４０内に配することができる。
【００６０】
保護部４０は、外装部３５とは、別部品としてもよいし、また、一体に形成される構成としてもよい。保護部４０と、外装部３５とが、別部品とされる場合には、ファスナー、面ファスナー、ボタン等の公知の手法により、保護部４０と外装部３５とが組み付けられる構成としてもよい。本実施形態においては、保護部４０と外装部３５とは別部品としている。
【００６１】
（蓄電装置１２の洗浄工程）
続いて、蓄電装置１２の洗浄工程の一例について説明する。なお、蓄電装置１２の洗浄工程は、以下の記載に限定されるものではない。
【００６２】
パレット３４の上に収納箱１１を載置する。その後、収納箱１１の内部に、内装部１６を収容する。このとき、予め内装部１６に外装部３５を取り付けておいてもよい。
【００６３】
続いて、内装部１６の内側にスペーサ１９を収容する。その後、スペーサ１９の内側に、複数の蓄電素子１０を前後、及び左右方向に並べて収容する。
【００６４】
外装部３５は、スペーサ１９の内側に蓄電素子１０を並べた後に、内装部１６に取り付ける構成としてもよい。
【００６５】
蓄電素子１０に、接続部材２４を取り付ける。これにより、複数の蓄電素子１０を電気的に接続する。
【００６６】
第１端子２６Ａに第１電線３０Ａを取り付けると共に、第２端子２６Ｂに第２電線３０Ｂを取り付ける。続いて、第１電線３０Ａ、及び第２電線３０Ｂを保護部４０内に配する。その後、第１電線３０Ａのうち第１端子２６Ａと反対側の端部に蓄電素子側コネクタ３１を取り付けると共に、第２電線３０Ｂのうち第２端子２６Ｂと反対側の端部に蓄電素子側コネクタ３１を取り付ける。続いて保護部４０から第１端子２６Ａ、第２端子２６Ｂが露出するようにして、それぞれ第１電極端子２２Ａ、第２電極端子２２Ｂと接続する。その後、蓄電素子側コネクタ３１と、充電器側コネクタ３２と、を接続する。
【００６７】
第１電極端子２２Ａと第１端子２６Ａとを覆うようにして保護キャップ２９Ａを取り付けると共に、第２電極端子２２Ｂと第２端子２６Ｂとを覆うようにして保護キャップ２９Ｂを取り付ける。このとき、第１電線収容部４２Ａの端部は保護キャップ２９Ａによって第１電極端子２２Ａと第１端子２６Ａを覆うように組み付けられる。また、第２電極端子２２Ｂ、及び第２端子２６Ｂを覆うようにして保護キャップ２９Ｂを取り付ける。このとき、第２電線収容部４２Ｂの端部は保護キャップ２９Ｂによって第２電極端子２２Ｂと第２端子２６Ｂを覆うように組み付けられる。
【００６８】
充電器側電線３３を充電器に接続する。その後、蓄電装置１２に対して電槽化成を行う。
【００６９】
蓄電装置１２に対する電槽化成が終了した後、洗浄液にて、蓄電装置１２を洗浄する。これにより、電槽化成において蓄電素子１０の上面に付着した電解液等を洗い流す。このとき、収納箱１１の側壁１４の外面は外装部３５によって覆われているので、電解液、埃、異物等を含んだ洗浄液が、収納箱１１の側壁１４の外面に付着することを抑制することができる。
【００７０】
洗浄液により洗浄した後、洗浄液を乾燥させる。洗浄液が乾燥した後、係止部３７と被係止部３８との係合を解除して、内装部１６から外装部３５を取り外す。このとき、係止部３７と被係止部３８とが防水ファスナーであることから、内装部１６と外装部３５とを容易に取り外すことができるようになっている。その後、図６及び図７に示すように、保護部４０を取り外す。なお、保護部４０は、車両搭載後の洗浄に備えるため、取り外さなくてもよい。
【００７１】
上記の工程により、蓄電装置１２の洗浄が完了する。
【００７２】
（実施形態の作用、効果）
続いて、本実施形態の作用、効果について説明する。本実施形態に係る蓄電装置１２は、蓄電素子１０と、蓄電素子１０が収容される内装部１６と、側壁１４を有する収納箱１１であって、蓄電素子１０が収容された内装部１６が収容される収納箱１１と、を備え、内装部１６は、収納箱１１の側壁１４の外面を覆う外装部３５が着脱可能に取り付けられる係止部３７を備えている。
【００７３】
本実施形態によれば、蓄電素子１０は内装部１６に収容されている。このため、例えば、蓄電素子１０を洗浄する場合等、収納箱１１の内面が洗浄液によって汚染される可能性がある場合であっても、収納箱１１の内面が汚染されることが抑制される
【００７４】
本実施形態によれば、外装部３５を係止部３７に取り付けることにより、収納箱１１の側壁１４の外面は外装部３５によって覆われる。この結果、例えば、蓄電素子１０を洗浄する場合等、収納箱１１の外面が洗浄液によって汚染される可能性がある場合であっても、収納箱１１の側壁１４の外面が汚染されることが抑制される。
【００７５】
また、本実施形態によれば、外装部３５は内装部１６に着脱可能に取り付けられる。これにより、外装部３５を蓄電装置１２にオプションとして添付することにより、通常の使用時において蓄電装置１２を洗浄する際に、内装部１６に外装部３５を取り付けることができる。これにより、収納箱１１の側壁１４の外面に洗浄液が付着することを抑制することができる。
【００７６】
また、本実施形態によれば、内装部１６は係止部３７を備えており、内装部１６に外装部３５が取り付けられた状態で、外装部３５は、内装部１６と箱部との間を跨ぐように配されている。
【００７７】
本実施形態によれば、内装部１６と収納箱１１との間に洗浄液が浸入することを抑制することができる。
【００７８】
また、本実施形態によれば、蓄電素子１０は酸性の電解液を有し、収納箱１１は金属製である。これにより、例えば、蓄電素子１０を洗浄する場合において、酸性の電解液を含む洗浄液が、金属製である収納箱１１の側壁１４の外面に付着して側壁１４が腐食することを抑制することができる。
【００７９】
また、本実施形態によれば、係止部３７と被係止部３８とは、防水ファスナーとされている。これにより、係止部３７と被係止部３８との間から洗浄液が浸入することが抑制されるので、収納箱１１の側壁１４の外面に洗浄液が付着することを確実に抑制することができる。
【００８０】
また、本実施形態によれば、内装部側排水口１７と、箱側排水口１５とは対応する位置に形成されているので、内装部１６の内側に浸入した洗浄液は、内装部側排水口１７、及び箱側排水口１５を通って収納箱１１の外部に排出される。これにより、内装部１６の内側に浸入した水が、内装部１６の内側、及び収納箱１１の内側に滞留することを抑制できる。
【００８１】
更に、箱側排水口１５の内面は筒状部１８によって保護されているので、箱側排水口１５の内面に洗浄液が付着することも抑制されている。
【００８２】
また、本実施形態によれば、蓄電素子１０は第１電極端子２２Ａ及び第２電極端子２２Ｂを有し、第１電極端子２２Ａには第１電線３０Ａが接続されており、また、第２電極端子２２Ｂには第２電線３０Ｂが接続されている。第１電線３０Ａの端部と、第２電線３０Ｂの端部には、蓄電素子側コネクタ３１が接続されている。第１電線３０Ａ、第２電線３０Ｂ、及び蓄電素子側コネクタ３１は保護部４０によって覆われている。この結果、第１電線３０Ａ、第２電線３０Ｂ、及び蓄電素子側コネクタ３１は保護部４０によって保護される。これにより、例えば、蓄電素子１０を洗浄する場合において、第１電線３０Ａ、第２電線３０Ｂ、及び蓄電素子側コネクタ３１に洗浄液が付着することを抑制することができる。
【００８３】
従来、蓄電装置１２を電槽化成した後に洗浄する場合、以下のような工程で行われていた。まず、複数の蓄電素子を化成用の仮収納箱に収納する。その後、化成用の仮配線を蓄電素子に取り付ける。その後に、電槽化成を実行する。電槽化成が終了した後、仮配線を取り外し、蓄電装置を洗浄する。この時、洗浄液は、仮収納箱の側壁の外面に付着する。
【００８４】
洗浄後、複数の蓄電素子を、出荷用の収納箱に収納する。その後、接続部材、第１電線、第２電線、蓄電素子側コネクタを取り付ける。
【００８５】
従来の工程によると、洗浄後に、仮収納箱から蓄電素子を取り出して、出荷用の収納箱に改めて収納する必要があったため、工数が多いという問題があった。
【００８６】
これに対して本実施形態によれば、外装部３５によって収納箱１１の側壁１４の外面に洗浄液が付着することが抑制されているので、出荷用の収納箱１１に蓄電素子１０を収納した状態で電槽化成を行うことができる。この結果、洗浄後に、仮収納箱から蓄電素子を取り出して、出荷用の収納箱に改めて収納する工程が不要となるので、工数を削減することができる。
【００８７】
＜実施形態２＞
次に、本発明の実施形態２を、図８から図１０を参照しつつ説明する。実施形態２に係る蓄電装置５０は、図８に示すように、内装部５１と、外装部５２とが、接続されない点で、実施形態１と相違する。
【００８８】
（内装部５１）
内装部５１の上端縁は、収納箱１１の側壁１４の上端縁と略同じ高さ位置に形成されている。
【００８９】
（外装部５２）
外装部５２は、収納箱１１の側壁１４の外面、及び収納箱１１の底壁１３の外面に、接着剤層(図示せず)、又は粘着剤層(図示せず)を介して、または静電作用によって貼着されている。外装部５２の上端縁は、収納箱１１の側壁１４の上端縁と略同じ高さ位置に配されている。
【００９０】
外装部５２には、箱側排水口１５、及び内装部側排水口５３に対応する位置に、上下方向に貫通する外装部側排水口５４が形成されている。外装部側排水口５４の内側には、筒状部５５が内嵌されている。
【００９１】
（キャップ部材５６）
図８及び図９に示すように、収納箱１１の側壁１４の上端縁には、合成樹脂製のキャップ部材５６が嵌着されている。キャップ部材５６を構成する材料としては、硬質の合成樹脂であってもよく、また、軟質の合成樹脂であってもよく、また、ゴムであってもよい。
【００９２】
キャップ部材５６は、収納箱１１の側壁１４の上端縁に嵌着された状態で、内装部５１の上端縁と、収納箱１１の側壁１４の上端縁と、外装部５２の上端縁とに、跨って配されている。これにより、内装部５１の上端縁と、収納箱１１の側壁１４の上端縁との間に洗浄液が浸入することが抑制されると共に、収納箱１１の側壁１４の上端縁と、外装部５２の上端縁との間に洗浄液が浸入することが抑制されるようになっている。
【００９３】
なお、図８から図１０においては、パレット３４が省略されているが、収納箱１１は、パレット３４の上に載置されていてもよい。
【００９４】
上記以外の構成については、実施形態１と略同様なので、同一部材については同一符号を付し、重複する説明を省略する。
【００９５】
本実施形態においては、蓄電装置５０は、蓄電素子１０と、蓄電素子１０が収容される内装部５１と、側壁１４を有する収納箱１１であって、蓄電素子１０が収容された内装部５１が収容される収納箱１１と、収納箱１１の側壁１４の外面を覆う外装部５２と、を備える。
【００９６】
本実施形態によれば、収納箱１１の側壁１４の外面は外装部５２によって覆われている。この結果、例えば、蓄電素子１０を洗浄する場合等、収納箱１１の外面が洗浄液によって汚染されるような場合であっても、収納箱１１の側壁１４の外面が汚染されることが抑制される。
【００９７】
また、本実施形態によれば、外装部５２は、収納箱１１の側壁１４の外面から収納箱１１の底壁１３の外面までを覆っている。これにより、収納箱１１の底壁１３が洗浄液によって汚染されることが抑制される。
【００９８】
図１０に示すように、本実施形態によれば、蓄電装置５０を使用する際には、キャップ部材５６を取り外し、更に、外装部５２を剥がすようになっている。これにより、蓄電装置５０を移送する際に、収納箱１１の側壁１４及び底壁１３の外面が傷つくことを抑制することができる。
【００９９】
＜実施形態２の変形例＞
続いて、実施形態２の変形例について説明する。実施形態２では、実施形態１と同様に、洗浄工程を実施する前に、第１電線３０Ａ、第２電線３０Ｂ、蓄電素子側コネクタ３１、及び充電器側コネクタ３２を保護部４０内に配するようになっており、また、第１電極端子２２Ａと第１端子２６Ａとを覆うようにして保護キャップ２９Ａを取り付けると共に、第２電極端子２２Ｂと第２端子２６Ｂとを覆うようにして保護キャップ２９Ｂを取り付けるようになっている。
【０１００】
本変形例においては、洗浄工程を実施する前の時点で、第１電線３０Ａを第１電極端子２２Ａには取り付けず、また、第２電線３０Ｂを第２電極端子２２Ｂには取り付けない構成とし、洗浄工程実施後に、第１電線３０Ａを第１電極端子２２Ａに取り付けると共に、第２電線３０Ｂを第２電極端子２２Ｂに取り付ける構成となっている。
【０１０１】
＜実施形態３＞
次に、本発明の実施形態３を、図１１から図１２を参照しつつ説明する。図１１に示すように、本実施形態に係る蓄電装置６０は、内装部６１と外装部６２とが一体に形成されている点で、実施形態１と相違する。
【０１０２】
本実施形態においては、内装部６１は、収納箱１１の側壁１４の内側に位置する部分とされており、外装部６２は、収納箱１１の側壁１４の上端縁の上面と、収納箱１１の側壁１４の外面とを覆う部分とされている。
【０１０３】
上記以外の構成については、実施形態１と略同様なので、同一部材については同一符号を付し、重複する説明を省略する。
【０１０４】
本実施形態においては、内装部６１と収納箱１１との間は、内装部６１と一体に形成された外装部６２によって覆われているので、内装部６１と収納箱１１との間に洗浄液が浸入することを確実に抑制できる。
【０１０５】
蓄電装置６０を洗浄した後は、図１２に示すように、外装部６２を内装部６１から切り離すようになっている。
【０１０６】
＜他の実施形態＞
本明細書に記載された技術は上記記述及び図面によって説明した実施形態に限定されるものではなく、例えば次のような実施形態も本明細書に記載された技術の技術的範囲に含まれる。
【０１０７】
（１）本実施形態においては、複数の蓄電素子１０が収納箱１１内に収容された組電池であったが、これに限られず、１個の蓄電素子１０が収納箱１１内に収容された構成としてもよい。また、蓄電素子１０は、２個〜１１個、又は１３個以上としてもよい。
【０１０８】
（２）本実施形態においては、蓄電素子１０として液式のクラッド式鉛蓄電池を用いたが、これに限られず、ゲル式又は顆粒シリカクラッド式鉛蓄電池、ペースト式の液式又は制御弁式鉛蓄電池を用いてもよい。また、蓄電素子１０としては、アルカリ蓄電池、リチウムイオン蓄電池、キャパシタ等、必要に応じて任意の蓄電素子１０を用いることができる。
【０１０９】
（３）本実施形態においては、収納箱１１は金属製としたが、これに限られず、合成樹脂製であってもよい。
【０１１０】
（４）実施形態１においては、係止部３７、及び被係止部３８には、防水ファスナーが適用される構成としたが、これに限られず、係止部３７、及び被係止部３８には、ボタンとボタン孔、係止爪と係止爪が挿通される係止孔、防水性を有しないファスナー等、必要に応じて任意の構成を適宜に選択できる。係止部７０、及び被係止部７１が非防水である場合には、図１３に示すように、外装部３５に、折り返し部７２を設けてもよい。折り返し部７２は、外装部３５が被係止部７１から下方に折り返されると共に、更に上方に折り返されることにより形成されている。これにより、係止部７０、及び被係止部７１が、折り返し部７２よりも上方に位置する外装部３５によって覆われるようになっている。これにより、係止部７０と被係止部７１との間から水が浸入することが抑制されるようになっている。
【０１１１】
（５）本実施形態では、保護部４０は蓄電素子側コネクタ３１を覆う構成としたが、これに限られず蓄電素子側コネクタ３１は保護部４０から露出する構成としてもよい。
【０１１２】
（６）実施形態１では、内装部１６に係止部３７が形成される構成としたが、これに限られず、収納箱１１に係止部が形成される構成としてもよい。
【０１１３】
（７）実施形態１では、外装部３５の外縁部３９はパレット３４の側縁部の側方に位置する構成としたが、これに限られず、外装部３５の外縁部３９は、収納箱１１の底壁１３の下側に折り畳まれる構成としてもよい。これにより、外装部３５によって収納箱１１の側壁１４の外面から底壁１３の外面までが覆われるようになるので、収納箱１１の底壁１３に洗浄液が付着することを抑制することができる。
【０１１４】
（８）実施形態１においては、第１電線３０Ａ、第２電線３０Ｂ、蓄電素子側コネクタ３１、充電器側コネクタ３２、充電器側電線３３を用いて、蓄電装置１２の電槽化成を実行したが、これに限られず、蓄電装置１２に対して、電槽化成用の電線によって電槽化成を実行した後に、第１電線３０Ａ、第２電線３０Ｂ、蓄電素子側コネクタ３１、充電器側コネクタ３２、充電器側電線３３を蓄電装置１２に取り付ける構成としてもよい。この場合には、保護部４０を省略することができる。
【符号の説明】
【０１１５】
１０：蓄電素子
１１：収納箱
１２，５０，６０：蓄電装置
１３：底壁
１４：側壁
１６，５１，６１：内装部
２２Ａ：第１電極端子
２２Ｂ：第２電極端子
３０Ａ：第１電線
３０Ｂ：第２電線
３１：蓄電素子側コネクタ
３５，５２，６２：外装部
３７，７０：係止部
４０：保護部
【図１】
2017033768.tif 000003
【図２】
2017033768.tif 000004
【図３】
2017033768.tif 000005
【図４】
2017033768.tif 000006
【図５】
2017033768.tif 000007
【図６】
2017033768.tif 000008
【図７】
2017033768.tif 000009
【図８】
2017033768.tif 000010
【図９】
2017033768.tif 000011
【図１０】
2017033768.tif 000012
【図１１】
2017033768.tif 000013
【図１２】
2017033768.tif 000014
【図１３】
2017033768.tif 000015